【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
撮像装置であって、
画像を撮像して、画像データを有する画像ファイルを生成する生成部と、
前記画像ファイルの格納処理を行う格納処理部と、
前記画像ファイルを評価して、前記画像ファイルに評価結果を関連付ける評価処理を実行する評価部と、
前記評価結果を用いて、複数の前記画像ファイルを管理する管理処理を実行するファイル管理部と、
を備える撮像装置。
【請求項２】
請求項１に記載の撮像装置において、
前記ファイル管理部は、
前記評価結果に基づいて、複数の前記画像ファイルについて順位を規定し、
規定された前記順位を用いて、前記管理処理を実行する撮像装置。
【請求項３】
請求項１に記載の撮像装置において、
前記管理処理は、前記評価結果に応じて前記画像ファイルの削除または縮小を伴う管理処理である撮像装置。
【請求項４】
請求項２に記載の撮像装置は、さらに、
前記画像ファイルの前記画像データを提示するための提示部と、
提示された前記画像データに対する処理要求を入力するための入力部と、
を備え、
前記ファイル管理部は、
規定された前記順位に従って、複数の前記画像ファイルの前記画像データを前記提示部を用いて順次に提示し、
提示された前記画像データのうち前記入力部から前記処理要求が入力された画像データを有する画像ファイルを削除または縮小する撮像装置。
【請求項５】
請求項２に記載の撮像装置において、
前記ファイル管理部は、
規定された前記順位に従って、前記画像ファイルを削除または縮小する撮像装置。
【請求項６】
請求項３ないし請求項５のいずれかに記載の撮像装置において、
前記ファイル管理部は、
前記評価結果に応じて、削除または縮小のいずれを実行するか選択する画像処理装置。
【請求項７】
請求項３ないし請求項６のいずれかに記載の撮像装置において、
前記画像ファイルの削除または縮小を伴う管理処理は、
前記画像ファイルが格納される媒体の空き容量が基準容量以下である場合に、少なくとも前記基準容量以上の空き容量を確保するために実行される撮像装置。
【請求項８】
請求項７に記載の撮像装置において、
前記基準容量は、少なくとも前記画像ファイル１つ分の容量以上である撮像装置。
【請求項９】
請求項１ないし請求項８のいずれかに記載の撮像装置において、
前記評価結果は、前記画像ファイルの使用に関する使用情報に関連する撮像装置。
【請求項１０】
請求項９に記載の撮像装置は、さらに、
前記画像ファイルの画像データが表す画像を表示する表示部を備え、
前記使用情報は、前記表示部における表示に関する情報を含む撮像装置。
【請求項１１】
請求項９または請求項１０に記載の撮像装置は、さらに、
前記画像ファイルを外部機器に送信する出力部を備え、
前記使用情報は、前記画像ファイルの前記外部機器における使用に関する情報を含む画像処理装置。
【請求項１２】
請求項９または請求項１０に記載の撮像装置において、
前記格納部は、前記撮像装置および外部機器に着脱可能であり、
前記使用情報は、前記画像ファイルの前記外部機器における使用に関する情報を含む画像処理装置。
【請求項１３】
請求項１ないし請求項１２のいずれかに記載の撮像装置において、
前記評価結果は、前記画像ファイルの画像データの画質に関する画質情報に関連する撮像装置。
【請求項１４】
請求項1ないし請求項１３のいずれかに記載の撮像装置において、
前記評価結果は、前記画像ファイルの複製の生成に関する複製情報に関連する撮像装置。
【請求項１５】
請求項１ないし請求項１４のいずれかに記載の撮像装置において、
前記評価結果は、前記画像ファイルに、前記画像データと共に格納されている撮像装置。
【請求項１６】
請求項１ないし請求項１４のいずれかに記載の撮像装置において、
前記評価結果は、前記画像ファイルとは異なるファイルに格納されている撮像装置。
【請求項１７】
画像データが表す画像を出力する出力装置であって、
前記画像データを有する画像ファイルを取得する取得部と、
前記画像ファイルを評価し、評価された前記画像ファイルに評価結果を関連付ける評価処理を実行する評価部と、
前記評価結果を用いて、複数の前記画像ファイルを管理するファイル管理部と、
を備える出力装置。
【請求項１８】
画像データを有する画像ファイルを管理する方法であって、
前記画像ファイルを評価し、
評価された前記画像ファイルに評価結果を関連付け、
前記評価結果を用いて、複数の前記画像ファイルを管理する方法。
【請求項１９】
画像データを有する画像ファイルの管理を、コンピュータに実行させるコンピュータプログラムであって、
前記画像ファイルを評価し、評価された前記画像ファイルに評価結果を関連付ける評価処理を実行する第１の機能と、
前記評価結果を用いて、複数の前記画像ファイルを管理する管理処理を実行する第２の機能と、
を前記コンピュータに実現させるコンピュータプログラム。
【手続補正２】
【補正対象書類名】明細書
【補正対象項目名】０００７
【補正方法】変更
【補正の内容】
【０００７】
上記課題を解決するために本発明の第１の態様は、撮像装置を提供する。本発明の第１の態様に係る撮像装置は、画像を撮像して、画像データを有する画像ファイルを生成する生成部と、前記画像ファイルの格納処理を行う格納処理部と、前記画像ファイルを評価して、前記画像ファイルに評価結果を関連付ける評価処理を実行する評価部と、前記評価結果を用いて、複数の前記画像ファイルを管理する管理処理を実行するファイル管理部と、を備えることを特徴とする。
【手続補正３】
【補正対象書類名】明細書
【補正対象項目名】０００８
【補正方法】変更
【補正の内容】
【０００８】
本発明の第１の態様に係る撮像装置によれば、撮像装置が画像ファイルを評価して、その評価結果を用いて、画像ファイルを管理するので、画像ファイルの管理におけるユーザの操作負担を軽減して撮像装置の操作性を向上することができる。
【手続補正４】
【補正対象書類名】明細書
【補正対象項目名】０００９
【補正方法】変更
【補正の内容】
【０００９】
本発明の第１の態様に係る撮像装置において、前記評価結果は、前記画像ファイルに、前記画像データと共に格納されていても良く、前記画像ファイルとは異なるファイルに格納されていても良い。
【手続補正５】
【補正対象書類名】明細書
【補正対象項目名】００１０
【補正方法】変更
【補正の内容】
【００１０】
本発明の第１の態様に係る撮像装置において、前記ファイル管理部は、前記ファイル管理部は、前記評価結果に基づいて、複数の前記画像ファイルについて順位を規定し、規定された前記順位を用いて、前記管理処理を実行しても良い。画像ファイルを順位付けして、複数の画像ファイルを管理するので、画像ファイルに対するアクセスに伴うユーザの操作負担を軽減できる。前記管理処理は、前記評価結果に応じて前記画像ファイルの削除または縮小を伴う管理処理であっても良い。こうすれば、前記画像ファイルの削除または縮小に伴うユーザの操作負担を軽減できる。
【手続補正６】
【補正対象書類名】明細書
【補正対象項目名】００１２
【補正方法】変更
【補正の内容】
【００１２】
本発明の第１の態様に係る撮像装置において、前記ファイル管理部は、規定された前記順位に従って、前記画像ファイルを削除または縮小しても良い。
【手続補正７】
【補正対象書類名】明細書
【補正対象項目名】００１３
【補正方法】変更
【補正の内容】
【００１３】
本発明の第１の態様に係る撮像装置において、前記ファイル管理部は、前記評価結果に応じて、削除または縮小のいずれを実行するか選択しても良い。こうすれば、評価結果に応じて、画像ファイルに対する適切な処理を選択できるため、ユーザの操作負担を軽減して撮像装置の操作性を向上することができる。
【手続補正８】
【補正対象書類名】明細書
【補正対象項目名】００１４
【補正方法】変更
【補正の内容】
【００１４】
本発明の第１の態様に係る撮像装置において、前記画像ファイルの削除または縮小を伴う管理処理は、前記画像ファイルが格納される媒体の空き容量が基準容量以下である場合に、少なくとも前記基準容量以上の空き容量を確保するために実行されても良い。こうすれば、例えば、撮像装置が基準容量以上の空き容量を必要とする場合に、速やかに必要な容量を確保するので、撮像装置の操作性を向上することができる。
【手続補正９】
【補正対象書類名】明細書
【補正対象項目名】００１６
【補正方法】変更
【補正の内容】
【００１６】
本発明の第１の態様に係る撮像装置において、前記評価結果は、前記画像ファイルの使用に関する使用情報に関連しても良い。かかる場合は、画像ファイルの使用状況を考慮して、評価値を算出するので、画像ファイルをより的確に評価できる。
【手続補正１０】
【補正対象書類名】明細書
【補正対象項目名】００１９
【補正方法】変更
【補正の内容】
【００１９】
本発明の第１の態様に係る撮像装置において、前記評価結果は、前記画像ファイルの画像データの画質に関する画質情報に関連しても良い。こうすれば、画像データの画質を考慮して、画像ファイルの評価値を算出するので、さらに画像ファイルをより的確に評価できる。
【手続補正１１】
【補正対象書類名】明細書
【補正対象項目名】００２０
【補正方法】変更
【補正の内容】
【００２０】
本発明の第１の態様に係る撮像装置において、前記評価結果は、前記画像ファイルの複製の生成に関する複製情報に関連しても良い。こうすれば、画像ファイルの複製の生成状況を考慮して画像ファイルの評価値を算出するので、さらに画像ファイルをより的確に評価できる。
【手続補正１２】
【補正対象書類名】明細書
【補正対象項目名】００２１
【補正方法】変更
【補正の内容】
【００２１】
本発明の第２の態様は、画像データが表す画像を出力する出力装置を提供する。本発明の第２の態様に係る出力装置は、前記画像データを有する画像ファイルを取得する取得部と、前記画像ファイルを評価し、評価された前記画像ファイルに評価結果を関連付ける評価処理を実行する評価部と、前記評価結果を用いて、複数の前記画像ファイルを管理するファイル管理部と、を備えることを特徴とする。
【手続補正１３】
【補正対象書類名】明細書
【補正対象項目名】００２３
【補正方法】変更
【補正の内容】
【００２３】
なお、本発明において、種々の態様で実現することが可能であり、例えば、画像データを有する画像ファイルを管理する方法、および、画像ファイルの管理をコンピュータに実行させるコンピュータプログラム、そのコンピュータプログラムを記録した記録媒体、そのコンピュータプログラムを含み搬送波内に具現化されたデータ信号、等の態様で実現することができる。